(57)【特許請求の範囲】
【請求項１】
太陽光のエネルギーを用いて発電をおこなう太陽電池モジュールと、前記太陽電池モジュールで発電された電気を直流から交流に変換するパワーコンディショナ装置と、前記パワーコンディショナ装置で交流に変換された電気を分電する分電盤と、前記分電盤から送られてくる電力情報を表示する表示装置とを備えた太陽光発電システムであって、
前記表示装置は前記電力情報を表示させるための表示指示手段を備えており、
前記表示装置は、前記表示指示手段による表示指示の操作時間が短い場合は第１の期間単位の前記電力情報を表示し、前記表示指示の操作時間が長い場合は前記第１の期間単位より長い第２の期間単位の前記電力情報を表示すると共に、この表示される前記電力情報を前記表示指示の操作時間に対応させて時系列的に更新して表示することを特徴とする太陽光発電システム。
【請求項２】
請求項１に記載の太陽光発電システムにおいて、
前記電力情報は、前記太陽電池モジュールにおける発電電力量、電力会社への売買電力量、家庭内における消費電力量のいずれか１つ以上の電力情報であることを特徴とする太陽光発電システム。
【請求項３】
請求項２に記載の太陽光発電システムにおいて、
前記第１の期間単位は「日単位」、前記第２の期間単位は「週単位」であり、
前記表示装置は、前記表示指示手段の操作時間が第１の操作時間を越えるまでは前記「日単位」の前記電力情報を表示し、前記第１の操作時間を越えると前記「週単位」の前記電力情報を表示することを特徴とする太陽光発電システム。
【請求項４】
請求項３に記載の太陽光発電システムにおいて、
前記表示装置は、前記第１の期間単位及び前記第２の期間単位の他に、第３の期間単位である「月単位」の前記電力情報を表示すると共に、前記表示指示手段の操作時間が前記第１の操作時間を越えるまでは前記「日単位」の前記電力情報を表示し、前記第１の操作時間を越えて第２の操作時間を越えるまでは前記「週単位」の前記電力情報を表示し、前記第２の操作時間を越えると前記「月単位」の前記電力情報を表示することを特徴とする太陽光発電システム。
【請求項５】
請求項４に記載の太陽光発電システムにおいて、
前記「日単位」、前記「週単位」、前記「月単位」の前記電力情報は時系列的に順次複数回だけ表示され、前記「日単位」の１つ、前記「週単位」の１つ、前記「月単位」の１つの前記電力情報の表示時間は、ほぼ同一の表示時間に設定されていることを特徴とする太陽光発電システム。
【発明の詳細な説明】
【技術分野】
【０００１】
本発明は太陽光のエネルギーを用いて発電をおこなう太陽光発電システムに係り、特に電力量を表示する表示装置を備えた太陽光発電システムに関するものである。
【背景技術】
【０００２】
太陽光発電システムは、太陽電池パネル（太陽電池モジュール）で発電した電力をパワーコンディショナ装置（ＰＣＳ）で商用交流に変換し、家庭内で消費したり、商用系統に戻して売電（逆潮流）したりするシステムである。具体的には、太陽電池モジュール部と、太陽電池モジュールからの直流出力を交流出力に変換する機能を備えたパワーコンディショナ装置と、パワーコンディショナ装置と電力会社からの系統を接続し、かつ家庭内の電化製品である家庭内負荷とパワーコンディショナ装置及び電力会社からの系統を接続する分電盤を備えた発電システムである。
【０００３】
このような太陽光発電システムでは、太陽電池モジュールにおける発電電力量、電力会社への売買電力量、家庭内における消費電力量等の電力情報を居住者に知らせるための表示装置が設けられている。例えば、特開２０１４-１１８６３号公報（特許文献１）には、検出用のセンサ及び検出装置が必要に応じて増設を可能とされ、かつ、表示装置は検出装置の増設に応じて家庭内における系統毎の消費電力を表示確認できるようにした太陽光発電システムが提案されている。これによれば、家庭内の系統毎に分けられた電気機器について、監視したい系統設備が増えても容易に増設が可能となり、また、どこの場所でどれくらいの電気を消費しているかということをわかりやすく表示することができる。
【先行技術文献】
【特許文献】
【０００４】
【特許文献１】特開２０１４-１１８６３号公報
【発明の概要】
【発明が解決しようとする課題】
【０００５】
ところで、このような太陽光発電システムを備えた家屋の居住者においては、太陽光発電システムの発電電力量や売買電力量といった電力情報を、過去の電力情報と比較しながら確認したいという要望が多くある。このため、表示装置には過去の「日単位」、「週単位」、「月単位」等の期間単位で電力情報の表示が行なえる構成が必要である。これによって、居住者は過去の発電電力量や売買電力量を容易に把握することができ、太陽光発電システムの効率的な運用を行なうことができるようになる。
【０００６】
このような機能を備えた表示装置においては、過去の「日単位」、「週単位」、「月単位」等の期間単位の電力情報の表示を行うための表示指示ボタンが必要となるが、表示装置の小型化といった要請から、これらの個別の表示指示ボタンの全てを設けることは困難である。したがって、１つの表示指示ボタンで「日単位」、「週単位」、「月単位」等の複数の期間単位の電力情報の表示を行うことができる表示装置が求められている。
【０００７】
また、過去に遡って「週単位」、「月単位」等の期間単位の電力情報を確認しようとする場合や、過去の特定の日の電力情報を確認しようとする場合に、素早く目的とする期間単位や日時の電力情報を閲覧できる使い勝手の良い表示装置が求められている。
【０００８】
本発明は、表示指示ボタンの数を低減すると共に、素早く目的とする期間単位や日時の電力情報を閲覧できる使い勝手の良い表示装置を備えた新規な太陽光発電システムを提供することにある。
【課題を解決するための手段】
【０００９】
本発明は、太陽光のエネルギーを用いて発電をおこなう太陽電池モジュールと、太陽電池モジュールで発電された電気を直流から交流に変換するパワーコンディショナ装置と、パワーコンディショナ装置で交流に変換された電気を分電する分電盤と、分電盤から送られてくる電力情報を表示する表示装置とを備え、表示装置は電力情報を表示させるための表示指示手段を備えており、表示装置は少なくとも、表示指示手段による表示指示の操作時間が短い場合は第１の期間単位の電力情報を表示し、表示指示の操作時間が長い場合は第１の期間単位より長い第２の期間単位の電力情報を表示すると共に、この表示される電力情報を操作時間に対応させて時系列的に更新して表示する、ことを特徴とするものである。
【発明の効果】
【００１０】
本発明によれば、１つの表示指示手段によって異なる期間単位の電力情報を表示でき、しかも操作時間に対応させて異なる期間単位で電力情報を時系列的に更新して表示することができる。これによって、表示指示手段の数を低減すると共に、素早く目的とする期間単位や日時の電力情報を閲覧できる使い勝手の良い表示ができるようになる。
【図面の簡単な説明】
【００１１】
【図１】本発明が適用される太陽光発電システムのシステム構成を示すブロック図である。
【図２】表示装置の外観を示す外観構成である。
【図３】図２に示す表示装置の内部構成を示す構成図である。
【図４Ａ】本発明の代表的な実施形態になる動作フローであり、電力情報の表示を実行する時の表示動作を説明する動作フローの前半部分を示す図である。
【図４Ｂ】本発明の代表的な実施形態になる動作フローであり、電力情報の表示を実行する時の表示動作を説明する動作フローの中間部分を示す図である。
【図４Ｃ】本発明の代表的な実施形態になる動作フローであり、電力情報の表示を実行する時の表示動作を説明する動作フローの後半部分を示す図である。
【図５】表示指示ボタンの操作時間と表示される電力情報の関係を示す図である。
【図６Ａ】表示装置における「日単位」の電力情報が表示された表示画面を示す図である。
【図６Ｂ】表示装置における「週単位」の電力情報が表示された表示画面を示す図である。
【図６Ｃ】表示装置における「月単位」の電力情報が表示された表示画面を示す図である。
【発明を実施するための形態】
【００１２】
以下、本発明の実施形態について図面を用いて詳細に説明するが、本発明は以下の実施形態に限定されることなく、本発明の技術的な概念の中で種々の変形例や応用例をもその範囲に含むものである。
【００１３】
まず、本発明の具体的な実施形態を説明する前に太陽光発電システムの構成について図１乃至図３を用いて簡単に説明する。
【００１４】
図１は、太陽光発電システム１００のシステム構成を示すブロック図である。太陽光発電システム１００は、太陽電池モジュール１０１、昇圧装置１０２、接続箱１０３、パワーコンディショナ装置１１０、分電盤１２０、表示装置１３０によって構成されている。本実施形態において、太陽光発電システム１００は、一般家庭用の住宅に設けられ、当該家庭内の電気機器で消費する電力を供給するものとして説明する。
【００１５】
太陽電池モジュール１０１は、住宅の屋根などに設けられ、太陽光のエネルギーを用いて発電を行うものである。図示の例では、４つの太陽電池モジュール１０１が直列に接続された系統が２系統、３つの太陽電池モジュール１０１が直列に接続された系統が１系統設けられている。３つの太陽電池モジュール１０１からなる系統は、４つの太陽電池モジュール１０１からなる系統よりも発電電力の電圧が低いので、昇圧装置１０２によって昇圧をおこなって電圧を調整する。これら太陽電池モジュール１０１の直列接続からなる系統は、接続箱１０３において接続される。
【００１６】
パワーコンディショナ装置１１０は、太陽電池モジュール１０１で発電された電気を直流から交流に変換する機能を備えている。パワーコンディショナ装置１１０は、太陽光発電システム１００が設置された住宅の室外、或いは室内に設置されており、インバータ装置を用いて太陽電池モジュール１０１で発電された電気を直流から交流に変換する。また、パワーコンディショナ装置１１０は、太陽光発電システム１００内でエラーが生じた際にエラーコードが表示されるエラーコード表示部１１１を有している。電圧の過不足や通信異常等のエラーの発生の有無は、パワーコンディショナ装置１１０によって診断されている。
【００１７】
分電盤１２０は、パワーコンディショナ装置１１０で交流に変換された電気を分電する機能を備えている。より詳細には、分電盤１２０は、太陽電池モジュール１０１で発電された電気を、家庭内の電気機器で消費する分と、売電用に商用電力系統に送出する分とに分電する。また、分電盤１２０は、家庭内の電気機器で消費する電力が太陽電池モジュール１０１で発電された電気ではまかなえない場合に、商用電力系統から電力の供給を受け（買電）、家庭内の電気機器へと送出する。
【００１８】
分電盤１２０には、電圧センサ１２１及び電流センサ１２２が内蔵されている。電圧センサ１２１は、分電盤１２０によって分電された電気の電圧値をそれぞれ測定する。電流センサ１２２は、分電盤１２０によって分電された電気の電流値をそれぞれ測定する。
【００１９】
また、分電盤１２０には図示していないが、マイクロコンピュータ等からなる演算処理部が設けられており、検出された電圧や電流から売電、或いは買電される売買電力量、家屋内の電気機器で消費される消費電力量、パワーコンディショナ装置１１０からの発電電力量等が演算されて求められている。
【００２０】
尚、図１では分電盤１２０に電圧センサ１２１及び電流センサ１２２が内蔵されているものとしたが、電圧センサ１２１及び電流センサ１２２は、分電盤１２０と別体として設けてもよい。
【００２１】
表示装置（太陽光発電システム用の表示装置）１３０は、電圧センサ１２１及び電流センサ１２２によって測定された電圧値や電流値、売買電力量、消費電力量、発電電力量等の現在の運転状況を表示する。尚、これら以外に自給率、ＣＯ２削減量、石油削減量、パワーコンディショナ装置１１０の付加的な情報を必要に応じて表示することも可能である。表示装置１３０は、分電盤１２０と無線で通信可能に接続されており、上述した電力情報を含む各種情報を無線通信で受信する。
【００２２】
図２は表示装置１３０の外観の一例を示し、図３はその内部構成の一例を示す説明図である。図２に示すように、表示装置１３０は液晶画面１３１を有する小型のカラーモニタ装置であり、例えば太陽光発電システム１００が設置された家屋のリビングなどに置かれている。
【００２３】
表示装置１３０には、上述したように太陽電池モジュール１０１における現在及び過去の発電電力量、太陽電池モジュール１０１で発電された電力のうち家庭内で消費する現在及び過去の消費電力量や買電力量、太陽電池モジュール１０１で発電された電力のうち電力会社に売電する現在及び過去の売電力量等の電力情報が表示される。これらの情報は時系列に棒グラフや折れ線グラフで表示されるようにしても良いものである。
【００２４】
また、発電電力量、消費電力量、売買電力量等の「日単位」、「週単位」、「月単位」の各電力情報及びその推移、売買される電気代の概算値等の情報も表示指示ボタン１３１ｇの操作によって表示可能とされている。ここで、「日単位」とは１日を単位とし、「週単位」とは７日間を単位とし、「月単位」とは３０日間を単位とする期間単位である。
【００２５】
尚、上述した各種情報は後述する補助記憶装置に追加、更新されながら記憶されていくものである。したがって、補助記憶装置は読み出し、書き込みが可能な記憶素子であるフラッシュメモリや電源でバックアップされたバックアップＲＡＭ等が使用されている。もちろん、これ以外の記憶素子を用いても差し支えないものである。
【００２６】
表示装置１３０の液晶画面１３１には表示指示ボタン１３１ｇであるタッチパネル（タッチキー）が設けられており、使用者（居住者）による表示指示ボタン１３１ｇの操作によって所望の情報を表示させることが可能である。この表示指示ボタン１３１ｇは、後述するように、使用者からの電力情報の表示指示の入力を受け付ける表示指示入力手段となる。
【００２７】
尚、タッチパネルからなる表示指示ボタン１３１ｇとは別に、破線で示すように液晶画面１３１の下側に設けた押しボタンによる表示指示ボタン１３２によって、使用者からの電力情報の表示指示の入力を受け付ける表示指示入力手段を構成することも可能である。このような表示装置１３０を設けることによって、太陽光発電システム１００の稼働状態を使用者は容易に把握することができる。
【００２８】
図３に示すように、本実施形態において、表示装置１３０はＣＰＵ（処理部）１３０ａ、主記憶装置１３０ｂ、補助記憶装置１３０ｃ、無線通信回路１３０ｄ、入出力Ｉ／Ｆ１３０ｅ、ＬＣＤ（表示部）１３０ｆ、表示指示ボタン１３１ｇ等を備える。尚、液晶画面１３１は、ＬＣＤ１３０ｆと表示指示ボタン１３１ｇを含んで構成される。また、表示指示ボタン１３２の入力を受け付けることも可能であり、この表示指示ボタン１３２からの表示指示は入出力Ｉ／Ｆ１３０ｅに入力されるものである。
【００２９】
主記憶装置１３０ｂは、ＯＳ（Operating System）１３０ｂ１、制御プログラム１３０ｂ２に加えて、種々のデータを記憶したデータベース１３０ｂ３を備える。制御プログラム１３０ｂ２は、アプリケーションプログラムであり、太陽光発電システム１００の稼働状態（発電、売電、買電等の状態）を使用者が容易に把握できるようにすると共に、使用者が表示指示ボタン１３１ｇを介して、容易に電力情報の内容を把握できるようにしている。そして、ＣＰＵ１３０ａは制御プログラム１３０ｂによって、以下に説明する図４Ａ〜図４Ｃに示す表示機能を実行することができる。
【００３０】
無線通信回路１３０ｄは、分電盤１２０に内蔵されている電圧センサ１２１と電流センサ１２２の測定値や、発電電力量、消費電力量、売買電力量等の各種情報を無線で受信する回路である。入出力Ｉ/Ｆ１３０ｅは、表示指示ボタン１３１ｇ、或いは表示指示ボタン１３２からの表示指示の入力を受け付け、また、ＬＣＤ１３１ｆに各種表示情報の出力を伝送する機能を備えている。更に、ＬＣＤ１３１ｆは、少なくとも上述した各種電力情報の１つ以上を表示示可能な解像度を有する表示部である。
【００３１】
本実施形態では、少なくとも太陽電池モジュール１０１の発電電力量、家庭内で消費する消費電力量、電力会社から買電する買電力量、及び電力会社に売電する売電力量の電力情報が表示されている。そして、これらの電力情報は棒グラフや折れ線グラフで表現されている。もちろん、このようなグラフでなくとも数値で表現しても差し支えないものである。
【００３２】
以上のような構成の太陽光発電システムにおいて、上述したように、表示装置１３０で過去の「日単位」、「週単位」、「月単位」の各電力情報の表示を行うための表示指示ボタンが必要となるが、表示装置１３０の小型化といった要請から、これらの個別の表示指示ボタンの全てを表示装置１３０に設けることは困難である。したがって、１つの表示指示ボタンで過去の「日単位」、「週単位」、「月単位」等の期間単位の電力情報の表示を行うことが求められている。
【００３３】
また、過去に遡って「週単位」、「月単位」の電力情報を確認しようとする場合や、過去の特定の日の電力情報を確認しようとする場合に、素早く目的とする期間単位や日時の電力情報を閲覧できる使い勝手の良い表示方法が求められている。
【００３４】
このような課題を解決するために、本実施形態においては、表示指示手段による表示指示の操作時間が短い場合は第１の期間単位の電力情報を表示し、表示指示の操作時間が長い場合は第１の期間単位より長い第２の期間単位の電力情報を表示すると共に、この表示される電力情報を操作時間に対応させて時系列的に更新して表示する、という構成を提案するものである。尚、ここで本実施形態においては、第１の期間単位は「日単位」であり、第２の期間単位は「週単位」である。更には、第３の期間単位を設定して「月単位」としても良いものである。
【００３５】
これによれば、１つの表示指示手段によって異なる期間単位の電力情報を表示でき、しかも操作時間に対応させて異なる期間単位で電力情報を時系列的に更新して表示することができる。これによって、表示指示手段の数を低減すると共に、素早く目的とする期間単位や日時の電力情報を閲覧できる使い勝手の良い表示ができるようになる。
【００３６】
以下、本発明の代表的な実施形態を図４Ａ〜図４Ｃに示す動作フローにしたがって詳細に説明する。本動作フローは、表示装置１３０に設けられたＣＰＵ１３０ａが、アプリケーションプログラムにしたがって実行するものである。
【００３７】
尚、本実施形態では表示画面には発電電力量、消費電力量、買電力量及び売電力量の電力情報が表示されているが、全てが表示される必要はないものである。また、これに限定されず、他の情報を表示しても良いことはいうまでもない。尚、以下では代表して単に電力情報として表記する。
【００３８】
図４Ａ〜図４Ｃでは、ＣＰＵ１３０ａで実行される表示機能と、この表示機能を実行した結果に基づき表示される表示画面の内容を示している。尚、表示機能の破線で囲ったステップは使用者が行う操作を表しており、ＣＰＵ１３０ａはこの操作を検出して所定の表示機能を実行するものである。
【００３９】
尚、以下に説明する実施形態においては、「週単位」、「月単位」等の期間単位とは暦でいう週、月ではなく、日数の期間単位であり、「週単位」とは７日間、「月単位」とは３０日間を便宜上意味しているものである。
【００４０】
そして、この動作フローは現在の日付に対応した「日単位」で電力情報を表示している状態で、約１年前の２０１４年７月１３日の電力情報を閲覧する場合の例を示している。したがって、表示指示ボタンを操作する前は、表示内容Ｄ１０に示すように現在の日付である２０１５年７月３１日の「日単位」の電力情報がグラフとして表示されている。このグラフの例は後述する。
【００４１】
そして、ステップＳ１０で使用者が表示指示ボタン（図面では［前の日］スイッチと表記しており、以下では便宜上［前の日］スイッチとして説明する）を押し下げて、過去の電力情報の表示指示の操作を行う。この操作が行われると、ＣＰＵ１３０ａは最初にステップＳ１１で、前日である２０１５年７月３０日の「日単位」の電力情報を表示する。以下、ＣＰＵ１３０ａによって各表示機能が実行される。
【００４２】
２０１５年７月３０日の「日単位」の電力情報を表示した状態で、ステップＳ１２では長押し判定を実行する。長押し判定は、［前の日］スイッチが押し下げられて１秒が経過したかどうかを判断している。この判断で、１秒が経過していないと判断されると表示内容Ｄ１１に示すように、２０１５年７月３０日の「日単位」の電力情報が継続して表示される。
【００４３】
表示画面の表示内容Ｄ１１は図６Ａに示すように、表示されている日付Ｄ、電力情報Ｓ、その日の時間帯Ｔが表示されている。電力情報Ｓは、１日の時間帯毎に買電電力量、売電電力量、発電電力量、消費電力量が表示されるものである。
【００４４】
ここでは、買電電力量（下側の折れ線）、売電電力量（上側の折れ線）を折れ線グラフで表示しているが、実際にはこの折れ線グラフに対応させて発電電力量、消費電力量を棒グラフで併せて表示させている。また、表示内容Ｄ１１の表示時間は任意であるが、表示時間は経験的に視認性を高めるために必要な時間が大体決められており、本実施形態では１秒に設定されている。尚、以下の説明にもあるが、この１秒は厳密な１秒ではなく多少の誤差を含んでいても差し支えないものである。
【００４５】
次に、ステップＳ１２で１秒が経過した判断されるとステップＳ１３に進み、現時点で表示されている日時の前日である２０１５年７月２９日の「日単位」の電力情報を表示する。この２０１５年７月２９日の「日単位」の電力情報を表示した状態で、ステップＳ１４では長押し判定を実行する。
【００４６】
ステップＳ１４での長押し判定は、ステップＳ１２で１秒が経過したと判定された後からの時間経過を計測して判断している。この判断で、１秒が経過していないと判断されると、表示内容Ｄ１２に示すように、２０１５年７月２９日の「日単位」の電力情報が継続して表示される。尚、表示画面の表示内容Ｄ１２は図６Ａに示すものと同じ表示形態である。
【００４７】
更に、ステップＳ１４で１秒が経過した判断されるとステップＳ１５に進み、現時点で表示されている日時の前日である２０１５年７月２８日の「日単位」の電力情報を表示する。この２０１５年７月２８日の「日単位」の電力情報を表示した状態で、ステップＳ１６では長押し判定を実行する。
【００４８】
ステップＳ１６での長押し判定はステップＳ１４と同様に、ステップＳ１４で１秒が経過したと判定された後からの時間経過を計測して判断している。この判断で、１秒が経過していないと判断されると表示内容Ｄ１３に示すように、２０１５年７月２８日の「日単位」の電力情報が継続して表示される。表示画面の表示内容Ｄ１３は図６Ａに示すものと同じ表示形態である。
【００４９】
このように、ステップＳ１０からステップ１６までは、「日単位」の電力情報を時系列的に過去に遡って複数回（ここでは３回）に亘って更新、表示するものであり、この「日単位」の電力情報を表示する総合的な時間は約３秒となる。図５に示しているように、第１の時間閾値Ｔ１（０〜Ｔ１＝ｔ１＝３秒）を越えるまでは「日単位」の電力情報が表示画面１３１上に表示されることになる。この場合、１日毎に順次過去に遡って「日単位」の電力情報が表示されるものであり、途中で、［前の日］スイッチによる表示指示の操作を中断すると、この状態で現在の表示画面が維持されるようになっている。
【００５０】
したがって、この時間範囲（ｔ１＝３秒）で［前の日］スイッチを操作、中断を繰り返せば「日単位」の電力情報を遡りながら表示することができる。尚、この表示する日数は任意であるが、あまり日数を多くすると操作時間が長くなるので、適切な日数に設定すれば良いものである。
【００５１】
そして、ステップＳ１６で１秒が経過した判断されると、ステップＳ１７に進み、現時点での表示されている日時（２０１５年７月２８日）から、更に前の７日分の「週単位」の電力情報を表示する。この２０１５年７月２７日〜２０１５年７月２１日までの電力情報を表示した状態で、ステップＳ１８では長押し判定を実行する。
【００５２】
ステップＳ１８での長押し判定はステップＳ１６で１秒が経過したと判定された後からの時間経過を判断している。この判断で、１秒が経過していないと判断されると表示内容Ｄ１４に示すように２０１５年７月２７日〜２０１５年７月２１日の「週単位」の電力情報が継続して表示される。
【００５３】
表示画面の表示内容Ｄ１４は図６Ｂに示すように、表示されている７日間の日付Ｗ、電力情報Ｓ、７日間の各日付ＤＷが表示されている。電力情報Ｓは個別の日付毎に買電電力量、売電電力量、発電電力量、消費電力量が表示されるものである。
【００５４】
ここでも、買電電力量、売電電力量を折れ線グラフで表示しているが、実際にはこの折れ線グラフに対応させて発電電力量、消費電力量を棒グラフで併せて表示させている。また、表示内容Ｄ１４の表示時間は任意であるが、表示時間は経験的に視認性を高めるために必要な時間が大体決められており、本実施形態では「日単位」と同様に１秒に設定されている。
【００５５】
ステップＳ１８で１秒が経過した判断されると、ステップＳ１９に進み、現時点で表示されている「週単位」の電力情報より更に前の７日分の電力情報を表示する。この２０１５年７月２０日〜２０１５年７月１４日までの「週単位」の電力情報を表示した状態で、ステップＳ２０では長押し判定を実行する。
【００５６】
ステップＳ２０での長押し判定は、ステップＳ１８で１秒が経過したと判定された後からの時間経過を計測して判断している。この判断で、１秒が経過していないと判断されると表示内容Ｄ１５に示すように２０１５年７月２０日〜２０１５年７月１４日の「週単位」の電力情報が継続して表示される。表示画面の表示内容Ｄ１４は図６Ｂに示すものと同じ表示形態である。
【００５７】
このように、ステップＳ１７からステップ２０までは、「週単位」の電力情報を時系列的に過去に遡って複数回（ここでは２回）に亘って更新、表示するものであり、この「週単位」の電力情報を表示する時間は２秒となる。そして、上述したように「日単位」の電力情報の表示時間は１秒であり、「週単位」の電力情報の表示時間も１秒であるため、「週単位」の電力情報は「日単位」の電力情報に比べて、同じ表示時間でありながら日数的には７倍の時間速度で表示が更新されることになる。これによって、素早く過去の電力情報を閲覧することが可能となる。
【００５８】
また、１つの［前の日］スイッチ（＝表示指示ボタン）の操作時間に対応して、「日単位」、「週単位」、及び後述する「月単位」の電力情報を表示できるので、［前の日］スイッチ（＝表示指示ボタン）の数を低減することができるようになる。
【００５９】
図５に示しているように、第２の時間閾値Ｔ２を越えるまでの時間（Ｔ２〜Ｔ１＝ｔ２＝２秒）は「週単位」の電力情報が表示画面１３１上に表示されることになる。この場合、１週毎に順次遡って「週単位」の電力情報を表示するものであり、途中で、［前の日］スイッチによる操作を中断すると、この状態で現在の「週単位」の電力情報の表示画面が維持されるようになっている。尚、この順次表示する週数も任意であるが、あまり週数を多くすると操作時間が長くなるので、適切な週数に設定すれば良いものである。
【００６０】
次に、ステップＳ２０で１秒が経過した判断されると、ステップＳ２１に進み、現時点で表示されている「週単位」の電力情報から、更に前の３０日分の「月単位」の電力情報を表示する。この２０１５年７月１３日〜２０１５年６月１４日までの「月単位」の電力情報を表示した状態で、ステップＳ２２では長押し判定を実行する。
【００６１】
ステップＳ２２での長押し判定は、ステップＳ２０で１秒が経過したと判定された後からの時間経過を計測して判断している。この判断で、１秒が経過していないと判断されると表示内容Ｄ１６に示すように、２０１５年７月１３日〜２０１５年６月１４日の「月単位」の電力情報が継続して表示される。
【００６２】
表示画面の表示内容Ｄ１６は図６Ｃに示すように、表示されている３０日間の日付Ｍ、電力情報Ｓ、３０日間の各日付ＤＭが表示されている。電力情報Ｓは個別の日付毎に買電電力量、売電電力量、発電電力量、消費電力量が表示されるものである。
【００６３】
ここでも、買電電力量、売電電力量を折れ線グラフで表示しているが、実際にはこの折れ線グラフに対応させて発電電力量、消費電力量を棒グラフで併せて表示させている。また、表示内容Ｄ１５の表示時間は任意であるが、表示時間は経験的に視認性を高めるために必要な時間が決められており、本実施形態では「日単位」と同様に１秒に設定されている。
【００６４】
ステップＳ２２で１秒が経過した判断されると、ステップＳ２３に進み、現時点で表示されている「月単位」の電力情報より更に前の３０日分の「月単位」の電力情報を表示する。この２０１５年６月１３日〜２０１５年５月１４日までの「月単位」の電力情報を表示した状態で、ステップＳ２４では長押し判定を実行する。
【００６５】
ステップＳ２４での長押し判定は、ステップＳ２２で１秒が経過したと判定された後からの時間経過を判断している。この判断で、１秒が経過していないと判断されると表示内容Ｄ１７に示すように、２０１５年６月１３日〜２０１５年５月１４日の「月単位」の電力情報が継続して表示される。表示画面の表示内容Ｄ１７は図６Ｃに示すものと同じ表示形態である。このように、ステップＳ２１以降では「月単位」の電力情報を時系列的に過去に遡って更新、表示するものである。
【００６６】
したがって、図５に示しているように、第２の時間閾値Ｔ２を越えると「月単位」の電力情報が表示画面１３１上に表示されることになる。尚、本実施形態では「月単位」が最大の期間単位となっているので、［前の日］スイッチを押し続けていると１秒毎に「月単位」の電力情報の表示が過去に遡って連続的に複数回に亘って表示されることになる。
【００６７】
「週単位」の表示と同様に、「月単位」の電力情報の表示時間も１秒であるため、「月単位」の電力情報は「日単位」の電力情報に比べて、同じ表示時間でありながら日数的には３０倍の時間速度で表示が更新されることになる。これによって、更に素早く過去の電力情報を閲覧することが可能となる。
【００６８】
また上述した通り、１つの［前の日］スイッチ（＝表示指示ボタン）の操作時間に対応して、「日単位」、「週単位」、「月単位」の電力情報を表示できるので、［前の日］スイッチ（＝表示指示ボタン）の数を低減することができるようになる。これによって、表示装置１３０の大型化を抑制することが可能となる。
【００６９】
そして、ステップＳ２５で示す途中の時点で［前の日］スイッチによる操作を中断すると、この状態で現在の「月単位」の電力情報の表示が維持されるようになっている。この時の表示画面Ｄ１８は２０１４年８月１３日〜２０１４年７月１４日までの「月単位」の電力情報である。
【００７０】
更に、上述したように閲覧したい日付が２０１４年７月１３日である。したがって、現在の「月単位」の電力情報の表示画面内容Ｄ１８は、２０１４年８月１３日〜２０１４年７月１４日であるので、あと１日遡れば２０１４年７月１３日の「日単位」の電力情報が閲覧できる。このため、使用者は再び［前の日］スイッチを押し下げると、上述したステップＳ１０以降と同じ動作を行い、該当の２０１４年７月１３日の「日単位」の電力情報を表示することができる。
【００７１】
そして、［前の日］スイッチを押し下げて２０１４年７月１３日の「日単位」の電力情報を表示した後に［前の日］スイッチの操作を中断すると２０１４年７月１３日の「日単位」の電力情報がそのまま継続して表示されるようになる。
【００７２】
このように、過去の特定の日の電力情報を確認しようとする場合にも、素早く目的とする日時の電力情報を閲覧でき、使い勝手が良い表示とすることができる。
【００７３】
以上に説明した実施形態では、現在の電力情報の表示から過去に遡るようにして過去の電力情報の表示を閲覧する場合を説明したが、過去の電力情報の表示から現在の電力情報の表示に戻る場合も同様であり、図４Ａ〜図４Ｃに示した日時が過去から現在に向かう方向に変わるだけである。
【００７４】
更に、本実施形態では「日単位」、「週単位」、「月単位」で電力情報を表示しているが、更に、「年単位」の電力情報を表示することも可能であり、その表示方法は「週単位」、「月単位」の表示方法と実質同じである。
【００７５】
尚、上述した実施形態では、表示すべき期間単位が変わる日時を起点として「週単位」として七日間、「月単位」として３０日間の電力情報を暦とは無関係に表示しているが、暦による「週単位」と「月単位」で切り替えることも可能である。
【００７６】
例えば、ステップＳ１５による表示日時は２０１５年７月２８日の火曜日であるが、「週単位」に切り替えるときは、暦上の前の週の２０１５年７月２６日（日曜日）〜２０１５年７月２０日（月曜日）を「週単位」として表示し、更にこの暦上の「週単位」を１秒毎に順次遡って表示しても良いものである。
【００７７】
同様に、ステップＳ１９による「週単位」の表示は２０１５年７月２０日〜２０１５年７月１４日であるが、「月単位」に切り替えるときは、暦上の前の月の２０１５年６月３０日〜２０１５年６月０１日を「月単位」として表示し、更にこの暦上の「月単位」を１秒毎に順次遡って表示しても良いものである。
【００７８】
以上述べた通り、本発明によれば、表示指示手段による表示指示の操作時間が短い場合は第１の期間単位の電力情報を表示し、表示指示の操作時間が長い場合は第１の期間単位より長い第２の期間単位の電力情報を表示すると共に、この表示される電力情報を操作時間に対応させて時系列的に更新して表示する構成とした。
【００７９】
これによれば、１つの表示指示手段によって異なる期間単位の電力情報を表示でき、しかも操作時間に対応させて異なる期間単位で電力情報を時系列的に更新して表示することができる。これによって、表示指示手段の数を低減すると共に、素早く目的とする期間単位や日時の電力情報を閲覧できる使い勝手の良い表示ができるようになる。
【００８０】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００８１】
１００…太陽光発電システム、１０１…太陽電池モジュール、１０２…昇圧装置、１０３…接続箱、１１０…パワーコンディショナ、１２０…分電盤、１２１…電圧センサ、１２２…電流センサ、１３０…表示装置、１３０ａ…ＣＰＵ（処理部）、１３１ｆ…ＬＣＤ（表示部）、１３１ｇ、１３２…表示指示ボタン、１３１…液晶画面。
【図１】
0006343263.tif 000002
【図２】
0006343263.tif 000003
【図３】
0006343263.tif 000004
【図４Ａ】
0006343263.tif 000005
【図４Ｂ】
0006343263.tif 000006
【図４Ｃ】
0006343263.tif 000007
【図５】
0006343263.tif 000008
【図６Ａ】
0006343263.tif 000009
【図６Ｂ】
0006343263.tif 000010
【図６Ｃ】
0006343263.tif 000011